(57)【要約】      （修正有）【課題】ゲージモニター装置を提供する。【解決手段】イメージ識別モジュールは、ゲージ３における用電度数表示モジュール３０の側に対応して設けられ、用電度数表示モジュール３０の用電度数イメージを取り込むためのものである。挟み型電流検出モジュール１３は、少なくとも１つの電力線材３Ａ又は３Ｂを挟むように設けられ、少なくとも１つの電力線材に流れる電流値を検出するためのものである。温湿度検出モジュール１６は、ゲージ３の周囲の温度値及び湿度値を検出するためのものである。制御モジュール１１は、通信モジュール１５によって用電度数値、電流値、温度値、湿度値をサーバ２に伝送する。【選択図】図１
0003220319.tif 000002
【実用新案登録請求の範囲】
【請求項１】
少なくとも１つの電力線材及び用電度数表示モジュールを含むゲージをモニターするためのゲージモニター装置であって、
制御モジュールと、
前記制御モジュールに電気的に接続され、前記ゲージにおける前記用電度数表示モジュールの側に対応して設けられ、前記用電度数表示モジュールの用電度数イメージを取り込むと共に取り込まれた前記用電度数イメージを前記制御モジュールに伝送して前記制御モジュールにより識別を行うことによって用電度数値を取得するためのイメージ取込モジュールと、
前記制御モジュールに電気的に接続され、少なくとも１つの前記電力線材を挟むように設けられ、少なくとも１つの前記電力線材に流れる電流値を検出するための挟み型電流検出モジュールと、
前記制御モジュールに電気的に接続され、前記ゲージの周囲の温度値及び湿度値を検出するための温湿度検出モジュールと、
前記制御モジュールに電気的に接続され、前記制御モジュールの制御に応じて前記用電度数値、前記電流値、前記温度値及び前記湿度値をサーバに伝送するための通信モジュールと、
前記制御モジュールに電気的に接続され、前記ゲージモニター装置に電気エネルギーを供給するための電源モジュールと、
を含み、
前記サーバは、前記用電度数値、前記電流値、前記温度値及び前記湿度値に基づいて電力供給状態パラメータを決定し、前記電力供給状態パラメータに基づいて電力スイッチのオンオフを決定することを特徴とする、ゲージモニター装置。
【請求項２】
前記ゲージは太陽エネルギー変換装置に電気的に接続されることを特徴とする、請求項１に記載のゲージモニター装置。
【請求項３】
前記ゲージは、胴体及びカバーを含むケースの前記胴体に設けられ、
前記イメージ取込モジュールは、前記ゲージにおける前記用電度数表示モジュールに対応するように前記ケースの前記カバーに設けられることを特徴とする、請求項１に記載のゲージモニター装置。
【請求項４】
前記電源モジュールは無停電システムであることを特徴とする、請求項１に記載のゲージモニター装置。
【請求項５】
前記挟み型電流検出モジュールは挟み型電流センサーであることを特徴とする、請求項１に記載のゲージモニター装置。
【請求項６】
前記制御モジュール、前記通信モジュール及び前記電源モジュールは前記ケースの前記胴体に設けられることを特徴とする、請求項３に記載のゲージモニター装置。
【請求項７】
太陽エネルギー変換モジュール及び少なくとも１つの電子装置が設けられる所定の領域に設置される電力モニターシステムであって、
グリッドシステム及び前記電子装置に電気的に接続される購電ゲージと、
前記グリッドシステムに電気的に接続される売電ゲージと、
前記購電ゲージに隣接して設けられ、前記購電ゲージの購電度数値、前記購電ゲージの購電電流値、前記購電ゲージの周囲の温度値及び前記購電ゲージの周囲の湿度値を取得するための第１のゲージモニター装置と、
前記売電ゲージに隣接して設けられ、前記売電ゲージの売電度数値、前記売電ゲージの売電電流値、前記売電ゲージの周囲の温度値及び前記売電ゲージの周囲の湿度値を取得するための第２のゲージモニター装置と、
前記第１のゲージモニター装置から前記購電ゲージの前記購電度数値、前記購電ゲージの前記購電電流値、前記購電ゲージの周囲の前記温度値及び前記購電ゲージの周囲の前記湿度値が伝送され、前記第２のゲージモニター装置から前記売電ゲージの前記売電度数値、前記売電ゲージの前記売電電流値、前記売電ゲージの周囲の前記温度値及び前記売電ゲージの周囲の前記湿度値が伝送されるサーバと、
を備え、
前記サーバは、前記第１のゲージモニター装置から伝送された前記購電ゲージの前記購電度数値、前記購電ゲージの前記購電電流値、前記購電ゲージの周囲の前記温度値及び前記購電ゲージの周囲の前記湿度値と、前記第２のゲージモニター装置から伝送された前記売電ゲージの前記売電度数値、前記売電ゲージの前記売電電流値、前記売電ゲージの周囲の前記温度値及び前記売電ゲージの周囲の前記湿度値に基づいて購電供給状態パラメータ及び売電供給状態パラメータをそれぞれ決定し、前記購電供給状態パラメータ又は前記売電供給状態パラメータに基づいて電力スイッチのオンオフを決定することを特徴とする、電力モニターシステム。
【考案の詳細な説明】
【技術分野】
【０００１】
本考案は、ゲージモニター装置及び電力モニターシステムに関し、特に、ゲージ線路を変更する必要がないゲージモニター装置及び電力モニターシステムに関する。
【背景技術】
【０００２】
スマートゲージはますます普及している傾向があるが、伝統ゲージはやはりよく見られる。また、ゲージの線路変更は、認証が取得された電力メーカーが実行しなければならないが、もしユーザーはグリーンエネルギー（例えば太陽エネルギー）を利用して電気エネルギー使用定額を増加させ、又はグリーンエネルギーを販売する希望があれば、リアルタイムで購電又は売電に関する情報を取得することは難しいである。
【０００３】
そのため、どのように使用し易くて便利に取り付けられるゲージモニター装置又は電力モニターシステムを提供するかは、明らかに業界の重要な課題の１つになった。
【考案の概要】
【０００４】
上記の課題に鑑みて、本考案は、少なくとも１つの電力線材及び用電度数表示モジュールを含むゲージをモニターするためのゲージモニター装置であって、制御モジュールと、制御モジュールに電気的に接続され、ゲージにおける用電度数表示モジュールの側に対応して設けられ、用電度数表示モジュールの用電度数イメージを取り込むと共に取り込まれた用電度数イメージを制御モジュールに伝送して識別を行うことによって用電度数値を取得するためのイメージ取込モジュールと、制御モジュールに電気的に接続され、少なくとも１つの電力線材を挟むように設けられ、少なくとも１つの電力線材に流れる電流値を検出するための挟み型電流検出モジュールと、制御モジュールに電気的に接続され、ゲージの周囲の温度値及び湿度値を検出するための温湿度検出モジュールと、制御モジュールに電気的に接続され、制御モジュールの制御に応じて用電度数値、電流値、温度値及び湿度値をサーバに伝送するための通信モジュールと、制御モジュールに電気的に接続され、ゲージモニター装置に電気エネルギーを供給するための電源モジュールと、を含むゲージモニター装置を提供する。
【０００５】
上記の課題に鑑みて、本考案は、太陽エネルギー変換装置及び少なくとも１つの電子装置が設けられる所定の領域に設置される電力モニターシステムであって、グリッドシステム及び電子装置に電気的に接続される購電ゲージと、グリッドシステムに電気的に接続される売電ゲージと、購電ゲージに隣接して設けられ、購電ゲージの購電度数値、購電ゲージの購電電流値、購電ゲージの周囲の温度値及び購電ゲージの周囲の湿度値を取得するための第１のゲージモニター装置と、売電ゲージに隣接して設けられ、売電ゲージの売電度数値、売電ゲージの売電電流値、売電ゲージの周囲の温度値及び売電ゲージの周囲の湿度値を取得するための第２のゲージモニター装置と、第１のゲージモニター装置から購電ゲージの購電度数値、購電ゲージの購電電流値、購電ゲージの周囲の温度値及び購電ゲージの周囲の湿度値が伝送され、第２のゲージモニター装置から売電ゲージの売電度数値、売電ゲージの売電電流値、売電ゲージの周囲の温度値及び売電ゲージの周囲の湿度値が伝送されるサーバと、を含む電力モニターシステムを提供する。
【０００６】
総じて言えば、本考案の実施例に係るゲージモニター装置は、ゲージ関連回路を破壊することなく取り付けることができ、電気エネルギー使用又は電気エネルギー生成の効率を有効にモニターでき、取付コストを有効に低減でき、自らで取り付けて人力コストを低減することができる。なお、本考案に係る電力モニターシステムは、購電ゲージと売電ゲージの異なる電力回路の電気エネルギー変化をモニターし、クラウドサーバの計算と有効に組み合わせることによって、ユーザーに速やかで便利に用電情報を伝送することができる。
【０００７】
以下、本考案の特徴と利点を更に明らかにするように、特に、好ましい実施例を挙げて添付図面に基づいて詳細に説明する。
【図面の簡単な説明】
【０００８】
【図１】図１は本考案の実施例に係るゲージモニター装置の模式図である。
【図２】図２は本考案の実施例に係る電力検出システムの模式図である。
【考案を実施するための形態】
【０００９】
以下、添付図面を参照して例示的な実施例を更に詳細に説明し、添付図面において若干の例示的な実施例を示す。しかしながら、本考案の概念は、多くの異なる態様で現れることができ、本文に記載された例示的な実施例に制限されると解されるべきではない。確実に、これらの例示的な実施例は、本考案を詳細で完璧にして本考案概念の範囲を当業者に呈するものである。各図面において、明確のために層及びブロックのサイズ及び相対サイズを誇張してもよい。類似的な数字は、終始に類似的な素子を示す。
【００１０】
理解されるべきであるように、本文において、第１、第２、第３などの用語を利用して各種の素子を記載する可能性があるが、これらの素子はこれらの用語に制限されない。これらの用語は、１つの素子ともう１つの素子を区別するためのものである。そのため、以下に記載される第１の素子は、本考案概念の示唆から離れないように、第２の素子と称されてもよい。本文に利用されるように、用語「及び／又は」は、関連して挙げられた項目におけるいずれか１つ、及び１つ又は複数のいずれの組み合わせを含む。
【００１１】
以下、少なくとも１つの実施例によって図面に基づいてゲージモニター装置及び電力モニターシステムを説明するが、後述の実施例は、本開示の内容を制限するためのものではない。以下の記載において、２つ以上の端子を有する電子素子について、特に標記する場合、足位の符号をその足位として記載するが、特に標記しない場合、横方向に設置される２端子の電子素子であれば、左側端子を第１の端とし、右側端子を第２の端とする。垂直に設置される２端子の電子素子であれば、上側端子を第１の端とし、下側端子を第２の端とする。
【００１２】
［本考案に係るゲージモニター装置の実施例］
図１を参照する。図１は本考案の実施例に係るゲージモニター装置の模式図である。
【００１３】
本実施例において、ゲージモニター装置１は、少なくとも２つの電力線材３Ａ、３Ｂ及び用電度数表示モジュール３０を含むゲージ３をモニターするためのものである。
【００１４】
ゲージモニター装置１は、制御モジュール１１、イメージ取込モジュール１２、挟み型電流検出モジュール１３、電源モジュール１４、通信モジュール１５及び温湿度検出モジュール１６を含む。本例において、制御モジュール１１は、イメージ取込モジュール１２、挟み型電流検出モジュール１３、電源モジュール１４、通信モジュール１５及び温湿度検出モジュール１６に電気的に接続される。
【００１５】
イメージ取込モジュール１２は、制御モジュール１１に電気的に接続され、ゲージ３における用電度数表示モジュール３０の側に対応して設けられる。イメージ取込モジュール１２は、用電度数表示モジュール３０の用電度数イメージを取り込むためのものである。イメージ取込モジュール１２は、取り込まれた用電度数イメージを制御モジュール１１に伝送する。制御モジュール１１は、識別を行うことによって用電度数値を取得する。
【００１６】
本実施例において、イメージ取込モジュール１２は、電荷結合素子モジュール（ｃｈａｒｇｅ−ｃｏｕｐｌｅｄ  ｄｅｖｉｃｅ、ＣＣＤ）である。即ち、イメージ取込モジュール１２は、ゲージ３における用電度数表示モジュール３０の対向側に設けられ、用電度数表示モジュール３０の用電度数イメージを直接に取り組むことができる。
【００１７】
挟み型電流検出モジュール１３は、制御モジュール１１に電気的に接続される。挟み型電流検出モジュール１３は、ゲージ３の電力線材３Ａ又は電力線材３Ｂを挟むように設けられる。本実施例において、挟み型電流検出モジュール１３は、電力線材３Ｂに流れる電流値を検出するように、電力線材３Ｂに挟まれる。本実施例において、ゲージ３及び電力線材３Ｂは、認証機構によって検証される必要があり、密かに電流メーターをゲージの回路に設けることはできない。そのため、本実施例において、ゲージ検出装置１は、電力線材３Ｂを挟むように設けられる挟み型電流検出モジュール１３によって、リアルタイムでゲージ３に流れる電流値を取得するようになる。本実施例において、挟み型電流検出モジュールは、挟み型電流センサーである。即ち、挟み型電流検出モジュールは、電磁誘導によってゲージ３に流れる電流値を取得する。
【００１８】
温湿度検出モジュール１６は、制御モジュール１１に電気的に接続され、ゲージ３の周囲の温度値及び湿度値を検出するためのものである。
【００１９】
通信モジュール１５は、制御モジュール１１に電気的に接続される。制御モジュール１１は、通信モジュール１５によって少なくとも１つの通信プロトコール（例えばＳｉｇｆｏｘ、ＬｏＲａ、４Ｇなど）で用電度数値、電流値、太陽照射値、ゲージ３の周囲の温度値及び湿度値をサーバ２に伝送する。
【００２０】
サーバ２は、用電度数値、電流値、温度値、湿度値に基づいて電力供給状態パラメータを決定する。
【００２１】
本実施例において、太陽エネルギー変換装置９は一般に最適な動作温度が２５度であり、太陽エネルギー変換装置９の出力効能は１００％に達することができる。しかしながら、動作温度が一旦２５度より高いと、太陽エネルギー変換装置９の出力効能は次第に低減していく。例えば３５度では、太陽エネルギー変換装置９の出力効能は９０％に低減する虞がある。そのため、サーバ２は太陽エネルギー変換装置９の周囲の温湿度に基づいて、効能の解析と予測を行うことができる。
【００２２】
サーバ２は、太陽エネルギー変換装置９から出力された用電度数値が大幅に低減してきたと見つけた場合、いくつかの可能な状況があると判断できる。まず、当時の環境温度、湿度、太陽放射照度、ガスフローが正常範囲であれば、サーバ２は、太陽エネルギー変換装置９が故障したと判断できる。
【００２３】
また、もし環境温度、湿度、太陽放射照度が異常であれば、サーバ２は、環境要素のため太陽エネルギー変換装置９の出力が異常であると判断できる。
【００２４】
上述した状況で、サーバ２は、異なる環境要素に基づいて影響のパーセントを見込み、その日の電気エネルギーの最適な取引価格を予測する必要がある。以下は、いくつかの可能な判断状況を説明する。
【００２５】
（１）温度が正常で湿度が高く、太陽照射が低い場合、サーバ２は、多雲又は雨の天気であると判断できる。サーバ２は、更にネットから取得された気象衛星の雲画像と対比を行うすると、影響の範囲及び時間帯（このような天気状態が太陽エネルギー変換装置９の全出力効能に対する影響をも含む）を予測でき、更にグリーンエネルギー発電の取引価格を判断できる。
【００２６】
（２）温度が正常で湿度が高く、太陽照射が高い場合、サーバ２は、雨が降ろうと判断できる。サーバ２は、更にネットから取得された気象衛星の雲画像と対比を行うすると、影響の範囲及び時間帯を予測できる。更に、サーバ２は、太陽エネルギー変換装置９の全出力効能に対する影響があるかどうか、山地では作業員を派遣してメンテナンスを行うことが好適であるかどうか、雷が落ちる可能性があるどうかなどについても判断できる。
【００２７】
（３）温度が低くて湿度が正常で、太陽照射が高い場合、サーバ２は、正常環境であると判断できる。一方、正常環境にも関わらずその時の電気量の出力が低減する場合、サーバ２は、太陽エネルギー変換装置９の出力が異常であると判断できる。
【００２８】
本実施例において、通信モジュール１５は、無線通信モジュール（ＷｉＦｉ  Ｃｏｍｍｕｎｉｃａｔｉｏｎ  ｍｏｄｕｌｅ）、ブルートゥース通信モジュール（Ｂｌｕｅｔｏｏｔｈ  Ｃｏｍｍｕｎｉｃａｔｉｏｎ  ｍｏｄｕｌｅ）（ブルートゥース／Ｂｌｕｅｔｏｏｔｈは登録商標）、Ｓｉｇｆｏｘ通信モジュール、及びＬｏＲａ通信モジュールであってもよく、実際な必要に応じて調整、設計してもよく、本考案には制限されない。
【００２９】
電源モジュール１４は、制御モジュール１１に電気的に接続される。電源モジュール１４は、ゲージモニター装置１における制御モジュール１１、イメージ取込モジュール１２、挟み型電流検出モジュール１３、通信モジュール１５及び温湿度検出モジュール１６に電気エネルギーを供給するためのものである。そして、リアルタイムで長期間にゲージ３の変化をモニターする必要であるため、本実施例において、電源モジュール１４は無停電システム（Ｕｎｉｎｔｅｒｒｕｐｔｉｂｌｅ  Ｐｏｗｅｒ  Ｓｙｓｔｅｍ、ＵＰＳ）である。他の実施例において、電源モジュール１４は、長期間使用できる電池であってもよい。
【００３０】
なお、他の実施例において、ゲージ３は、更に太陽エネルギー変換装置９に電気的に接続される。太陽エネルギー変換装置９は、太陽エネルギーを電気エネルギーに変換するための装置である。即ち、ゲージ３は、再生エネルギー又はグリーンエネルギーをモニターできるゲージである。ユーザーは、ゲージモニター装置１によって、ゲージ３で太陽エネルギー変換装置９により生成された電気エネルギーをモニターすることができるだけではなく、太陽エネルギー変換装置９により生成された電気エネルギーを利用することもできる。ゲージモニター装置１は、余分な電気エネルギーを販売するか否かをモニターする。本実施例において、サーバ２は、電力供給状態パラメータに基づいて電力スイッチのオンオフを決定することによって、太陽エネルギー変換装置９により生成された電気エネルギーを販売するか、エネルギー貯蓄装置（図未せず）に蓄積するかを決定する。
【００３１】
本実施例において、ゲージ３はケース１０に設けられる。ケース１０は胴体１０Ａ及びカバー１０Ｂを含む。ゲージ３はケース１０の胴体１０Ａに設けられる。イメージ取込モジュール１０Ｂはケース１０のカバー１０Ｂに設けられる。イメージ取込モジュール１０Ｂはゲージ３における用電度数表示モジュール３０に対応して設けられる。更に、制御モジュール１１、通信モジュール１５、電源モジュール１４もケース１０の胴体１０Ａに設けられる。
【００３２】
［本考案に係る電力モニターシステムの実施例］
図２を参照する。図２は本考案の実施例に係る電力検出システムの模式図である。
【００３３】
本実施例において、電力モニターシステム１００は所定の領域Ｈに設置される。具体的に言えば、電力モニターシステム１００は家庭領域に設置される。他の実施例において、電力モニターシステム１００は、実際な要求に応じて異なる領域に設置されてもよく、本考案には制限されない。
【００３４】
所定の領域Ｈには、少なくとも第１の電子装置８１Ａ及び第２の電子装置８１Ｂが設けられる。なお、所定の領域Ｈには、更に太陽エネルギー変換装置９が設けられる。
【００３５】
電力モニターシステム１００は、サーバ２、購電ゲージ４、売電ゲージ５、第１のゲージモニター装置６、第２のゲージモニター装置７、電気エネルギー管理装置８及び太陽エネルギー変換装置９を含む。
【００３６】
本実施例において、電力モニターシステム１００は購電ゲージ４及び売電ゲージ５を含む。所定の領域Ｈに消耗される電気エネルギーと販売される電気エネルギーは、購電ゲージ４及び売電ゲージ５によってそれぞれ算出される。言い換えれば、購電の電力回路と売電の電力回路は互いに干渉しない。
【００３７】
本実施例において、購電ゲージ４はグリッドシステム９００及び電気エネルギー管理装置８に電気的に接続される。電気エネルギー管理装置８は用電電力回路８１に電気的に接続される。用電電力回路８１は第１の電子装置８１Ａ及び第２の電子装置８１Ｂに電気的に接続される。
【００３８】
電気エネルギー管理装置８は、更に太陽エネルギー変換装置９から供給される電気エネルギーを蓄積するためのエネルギー貯蓄装置８２に電気的に接続される。
【００３９】
売電ゲージ５はグリッドシステム９００に電気的に接続される。
【００４０】
第１のゲージモニター装置６は、購電ゲージ４に隣接して設けられ、購電ゲージ４の購電度数値、購電ゲージ４の購電電流値、購電ゲージ４の周囲の温度値及び購電ゲージ４の周囲の湿度値を取得するためのものである。
【００４１】
第２のゲージモニター装置７は、売電ゲージ５に隣接して設けられ、売電ゲージ５の売電度数値、売電ゲージ５の売電電流値、売電ゲージの周囲の温度値及び売電ゲージ周囲の湿度値を取得するためのものである。
【００４２】
本実施例において、第１のゲージモニター装置６及び第２のゲージモニター装置７は、それぞれ自分のイメージ取込モジュール及び挟み型電流検出モジュールによって、購電ゲージ４の購電度数値、購電ゲージ４の購電電流値、売電ゲージ５の売電度数値及び売電ゲージ５の売電電流値をそれぞれ取得する。
【００４３】
本実施例において、第１のゲージモニター装置６及び第２のゲージモニター装置７の構造と機能は、上述したゲージモニター装置１と同じであり、ここで繰り返して記述しない。
【００４４】
また、第１のゲージモニター装置６によって購電ゲージ４の購電度数値、購電ゲージ４の購電電流値、購電ゲージ４の周囲の温度値及び購電ゲージ４の周囲の湿度値をサーバ２に伝送し、第２のゲージモニター装置７によって売電ゲージ５の売電度数値、売電ゲージ５の売電電流値、売電ゲージ５の周囲の温度値及び売電ゲージ５の周囲の湿度値をサーバ２に伝送する。
【００４５】
また、サーバ２は、第１のゲージモニター装置６から伝送された購電ゲージ４の購電度数値、購電ゲージ４の購電電流値、購電ゲージ４の周囲の温度値及び購電ゲージ４の周囲の湿度値と、第２のゲージモニター装置７から伝送された売電ゲージ５の売電度数値、売電ゲージ５の売電電流値、売電ゲージ５の周囲の温度値及び売電ゲージ５の周囲の湿度値に基づいて、例えば購電金額、売電金額、炭素排出量、環境パラメータ変化解析、用電グラフなどの各種の用電関連パラメータを更に解析することができる。
【００４６】
本実施例において、太陽エネルギー変換装置９により生成された電気エネルギーは、グリッドシステム９００に販売され、又はエネルギー貯蓄装置８２に蓄積されるためのものである。
【００４７】
本実施例において、電力モニターシステム１００は更に表示装置（図示せず）を含むようにしてもよい。表示装置（図示せず）は、直接的な電気的接続の方式又は通信接続の方式によってサーバ２に接続される。表示装置（図示せず）は、サーバ２に記憶された、第１のゲージモニター装置６から伝送された購電ゲージ４の購電度数値、購電ゲージ４の購電電流値、購電ゲージ４の周囲の温度値及び購電ゲージ４の周囲の湿度値と、第２のゲージモニター装置７から伝送された売電ゲージ５の売電度数値、売電ゲージ５の売電電流値、売電ゲージ５の周囲の温度値及び売電ゲージ５の周囲の湿度値、各種の用電関連パラメータを表示するようにしてもよい。各種の用電関連パラメータは、例えば購電金額、売電金額、炭素排出量、環境パラメータ変化解析、用電グラフなどの情報である。
【００４８】
サーバ２は第１のゲージモニター装置６から伝送された購電ゲージ４の購電度数値、購電ゲージ４の購電電流値、購電ゲージ４の周囲の温度値及び購電ゲージ４の周囲の湿度値と、第２のゲージモニター装置７から伝送された売電ゲージ５の売電度数値、売電ゲージ５の売電電流値、売電ゲージ５の周囲の温度値及び売電ゲージ５の周囲の湿度値に基づいて、購電供給状態パラメータ及び売電供給状態パラメータをそれぞれ決定する。サーバ２は、購電供給状態パラメータ又は売電供給状態パラメータに基づいて電力スイッチ５１のオンオフを決定する。本実施例において、電力スイッチ５１は、太陽エネルギー変換装置９により生成された電気エネルギーを販売するか否かを決定するようにしてもよい。電力スイッチ５１がオフとされる（遮断される）場合、太陽エネルギー変換装置９により生成された電気エネルギーが販売されない。電力スイッチ５１がオンとされる（短絡接続される）場合、太陽エネルギー変換装置９により生成された電気エネルギーが販売される。
【００４９】
他の実施例において、ユーザーは、例えば携帯電話、パネルＰＣ、ウェアラブル装置などのモバイル装置によってサーバ２に通信接続することによって、上述した各パラメータを取得するようにしてもよい。
【００５０】
［実施例の効果］
総じて言えば、本考案の実施例に係るゲージモニター装置は、ゲージ関連回路を破壊することなく取り付けることができ、電気エネルギー使用又は電気エネルギー生成の効率を有効にモニターでき、取付コストを有効に低減でき、自らで取り付けて人力コストを低減することができる。なお、本考案に係る電力モニターシステムは、購電ゲージと売電ゲージの異なる電力回路の電気エネルギー変化をモニターし、クラウドサーバの計算と有効に組み合わせることによって、ユーザーに速やかで便利に用電情報を提供することができる。
【００５１】
以上の説明は本考案の実施例に過ぎず、本考案の請求の範囲を制限するためのものではない。
【符号の説明】
【００５２】
１    ゲージモニター装置
１０    ケース
１０Ａ    胴体
１０Ｂ    カバー
１１    制御モジュール
１２    イメージ取込モジュール
１３    挟み型電流検出モジュール
１４    電源モジュール
１５    通信モジュール
１６    温湿度検出モジュール
２    サーバ
３    ゲージ
３Ａ、３Ｂ    電力線材
３０    用電度数表示モジュール
９    太陽エネルギー変換装置
１００    電力モニターシステム
４    購電ゲージ
５    売電ゲージ
６    第１のゲージモニター装置
７    第２のゲージモニター装置
８    電気エネルギー管理装置
８１    用電回路
８１Ａ    第１の電子装置
８１Ｂ    第２の電子装置
８２    エネルギー貯蓄装置
９００    グリッドシステム
Ｈ    所定の領域
５１    電力スイッチ
【図１】
0003220319.tif 000003
【図２】
0003220319.tif 000004